(57)【要約】【課題】複数の粒子線治療施設の監視、運転業務を一元管理し、保守・運用費用の低減を図る。【解決手段】本発明の粒子線治療施設の運用方法は、複数の粒子線治療装置（３０）とネットワーク（２０）を介して接続された統括管理センター（１０）において、複数の粒子線治療施設の監視・運転業務に必要な基本データを統括データベースに記憶させるステップと、複数の粒子線治療施設からネットワークを介して、各施設の監視・運転業務に関する実データを読み取るステップと、実データと基本データとに基づいて、複数の粒子線治療施設のそれぞれの監視・運転業務を一括して実行するステップとを有し、複数の粒子線治療施設を必要に応じて２４時間体制で監視する。【選択図】図１
2016167196.tif 000002
【特許請求の範囲】
【請求項１】
複数の粒子線治療施設と、
ネットワークを介して前記複数の粒子線治療施設のそれぞれと接続された統括管理センターと
を備えた粒子線治療ネットワークシステムで実行される粒子線治療施設の運用方法であって、
前記統括管理センターにおいて、
前記複数の粒子線治療施設の監視・運転業務に必要な基本データを統括データベースに記憶させる記憶ステップと、
前記複数の粒子線治療施設から前記ネットワークを介して、各施設の監視・運転業務に関する実データを読み取る読み取りステップと、
前記読み取りステップで読み取られた前記実データと、前記統括データベース内に記憶された前記基本データとに基づいて、前記複数の粒子線治療施設のそれぞれの監視・運転業務を一括して実行する一元管理ステップと
を有し、前記複数の粒子線治療施設を統括して監視する粒子線治療施設の運用方法。
【請求項２】
前記複数の粒子線治療施設で共用の予備品を前記統括管理センター側で保管しておき、前記複数の粒子線治療施設のいずれかから予備品配送要求を受信することで、前記予備品配送要求に対応した予備品を、前記予備品配送要求の送信元である粒子線治療設備に発送する予備品供給サービスステップ
をさらに有する請求項１に記載の粒子線治療施設の運用方法。
【請求項３】
前記複数の粒子線治療施設のトラブルシューティングデータを前記統括データベースに記憶させて一括管理し、前記複数の粒子線治療施設からの要求に応じて、前記トラブルシューティングデータを提供する不具合対応サービス提供ステップ
をさらに有する請求項１または２に記載の粒子線治療施設の運用方法。
【請求項４】
前記複数の粒子線治療施設のそれぞれに入退室する人員の認証データを前記統括データベースに記憶させて一括管理し、前記複数の粒子線治療施設に入退室を希望する人員からの入退室許可要求に応じて、前記認証データによる照合を行うことで、入退室管理を実行する入退室管理ステップ
をさらに有する請求項１から３のいずれか１項に記載の粒子線治療施設の運用方法。
【請求項５】
前記複数の粒子線治療施設で参照する治療プロトコルデータを前記統括データベースに記憶させて一括管理し、前記複数の粒子線治療施設からの要求に応じて、前記治療プロトコルデータを提供する治療データ提供ステップ
をさらに有する請求項１から４のいずれか１項に記載の粒子線治療施設の運用方法。
【請求項６】
複数の粒子線治療施設と、
ネットワークを介して前記複数の粒子線治療施設のそれぞれと接続された統括管理センターと
を備えた粒子線治療ネットワークシステムであって、
前記統括管理センターは、
前記複数の粒子線治療施設の監視・運転業務に必要な基本データを記憶する統括データベースと、
前記複数の粒子線治療施設から前記ネットワークを介して、各施設の監視・運転業務に関する実データを読み取り、前記実データと、前記統括データベース内に記憶された前記基本データとに基づいて、前記複数の粒子線治療施設のそれぞれの監視・運転業務を一括して実行する統括管理制御部と
を有し、前記複数の粒子線治療施設を統括して監視する粒子線治療ネットワークシステム。
【発明の詳細な説明】
【技術分野】
【０００１】
本発明は、国内外に点在する複数の粒子線治療施設の保守・運用費用の削減を図る粒子線治療施設の運用方法および粒子線治療ネットワークシステムに関する。
【背景技術】
【０００２】
粒子線治療は、国内外で少しずつではあるが、普及が進んでいる。しかしながら、粒子線治療施設は、装置が大規模で初期投資が大きいため、採算が確保されている施設は、まだまだ少ないのが実態である。従って、粒子線治療装置を普及させていくためには、導入した施設が確実に採算を確保できることが重要となる。
【０００３】
このような観点で、従来から、機能の特化と分散により効率よく採算性のよい粒子線治療装置の導入を可能とするように、治療計画データを共有して、治療を相互にバックアップするような粒子線治療ネットワークシステムが提案されている（例えば、特許文献１参照）。
【０００４】
特許文献１による粒子線治療ネットワークシステムは、粒子線治療装置本体を有する粒子線治療センターと、この粒子線治療センターと提携する複数の病院とが、ネットワークで接続されている。
【０００５】
複数の病院のそれぞれには、粒子線治療装置本体の線源データおよびジオメトリデータを有する放射線治療計画装置が設置されている。そして、それぞれの病院内の放射線治療計画装置にて立案された治療計画は、ネットワークを介して粒子線治療センターに送られる。一方、粒子線治療センター内の放射線治療計画装置は、送られてきた治療計画を確認し、確認された治療計画に基づき、粒子線治療を行っている。
【０００６】
この結果、高価な粒子線治療施設を各病院で共同利用することができ、各病院では、それぞれ自分の病院の患者の治療計画を立てることができる。
【先行技術文献】
【特許文献】
【０００７】
【特許文献１】特開２００８−２５３４９７号公報
【発明の概要】
【発明が解決しようとする課題】
【０００８】
しかしながら、従来技術には、以下のような課題がある。
粒子線治療施設の運営状況を考慮した主要な課題をまとめると、以下のようになる。
【０００９】
（第１の課題）患者数が少ない。
国内では、粒子線治療自体は、放射線治療の１アイテムであり、通常、まずは、外科手術が検討される。そして、手術ができない患者、または患者自らが選択した場合のみ、粒子線治療が選択されているケースが多い。従って、患者数が少ないことが問題としてあり、採算確保のためには、この問題の解決が不可欠である。
【００１０】
（第２の課題）ランニングコストが大きい。
装置の規模が大きいため、装置を動かすための電気代も大きく、建屋も大規模となり、空調費用もかなりかかってくる。さらに、土地、建屋の減価償却費用もかかっている。特に、炭素線による治療装置の場合には、装置（加速器）が大規模になるため、初期投資が大きく、装置のランニングコストもかなり大きい。
【００１１】
（第３の課題）治療計画を立案できる医者または医学物理士が不足している。
国内では、治療計画を立案できる専門の医者または医学物理士の数が少なく、実施できる治療計画で患者数が制限されてしまう。また、治療効果は、治療計画に大きく依存しており、治療計画が粒子線治療のノウハウといっても過言ではなく、治療計画が各施設でクローズされているのが現状である。
【００１２】
（第４の課題）治療費用が健康保険対象外であり、高額となっている。
治療費用が高額であり、このような費用面の観点でも、粒子線治療の普及が進まない要因となっている。
【００１３】
上述の課題からも明らかなように、現状の粒子線治療装置は、他の診断、治療装置に比べて圧倒的に初期投資が大きく、その運営に必要となるスタッフ費用、電気代に比べて、患者数が少ない。従って、粒子線治療装置の採算を確保していくためには、省エネ、人員の最適配置、およびランニングコストが少なくなる仕組みの構築が重要である。
【００１４】
特許文献１のような従来の粒子線治療ネットワークシステムでは、１つの粒子線治療施設を複数の病院で共同利用することで、各病院の運営状況の改善を図っている。しかしながら、このような特許文献１に開示された従来技術は、粒子線治療施設の保守・運用費用の削減に関しては、何ら着目していない。
【００１５】
そして、粒子線治療施設の運営状況を改善し、より多くの患者が利用しやすい環境を実現するためには、複数の粒子線治療施設を対象として、保守・運用費用のさらなる削減を図ることが有効と考えられる。
【００１６】
本発明は、前記のような課題を解決するためになされたものであり、複数の粒子線治療施設の監視、運転業務を遠隔地から一元管理し、保守・運用費用の削減を図ることのできる粒子線治療施設の運用方法および粒子線治療ネットワークシステムを得ることを目的とする。
【課題を解決するための手段】
【００１７】
本発明に係る粒子線治療施設の運用方法は、複数の粒子線治療施設と、ネットワークを介して複数の粒子線治療施設のそれぞれと接続された統括管理センターとを備えた粒子線治療ネットワークシステムで実行される粒子線治療施設の運用方法であって、統括管理センターにおいて、複数の粒子線治療施設の監視・運転業務に必要な基本データを統括データベースに記憶させる記憶ステップと、複数の粒子線治療施設からネットワークを介して、各施設の監視・運転業務に関する実データを読み取る読み取りステップと、読み取りステップで読み取られた実データと、統括データベース内に記憶された基本データとに基づいて、複数の粒子線治療施設のそれぞれの監視・運転業務を一括して実行する一元管理ステップとを有し、複数の粒子線治療施設を統括して監視するものである。
【００１８】
また、本発明に係る粒子線治療ネットワークシステムは、複数の粒子線治療施設と、ネットワークを介して複数の粒子線治療施設のそれぞれと接続された統括管理センターとを備えた粒子線治療ネットワークシステムであって、統括管理センターは、複数の粒子線治療施設の監視・運転業務に必要な基本データを記憶する統括データベースと、複数の粒子線治療施設からネットワークを介して、各施設の監視・運転業務に関する実データを読み取り、実データと、統括データベース内に記憶された基本データとに基づいて、複数の粒子線治療施設のそれぞれの監視・運転業務を一括して実行する統括管理制御部とを有し、複数の粒子線治療施設を統括して監視するものである。
【発明の効果】
【００１９】
本発明によれば、複数の粒子線治療設備をネットワーク化し、統括管理センターにおいて、集中管理できる構成を備えることで、施設ごとの監視・運転業務の軽減を図っている。この結果、複数の粒子線治療施設の監視、運転業務を遠隔地から一元管理し、保守・運用費用の低減を図ることのできる粒子線治療施設の運用方法および粒子線治療ネットワークシステムを得ることができる。
【図面の簡単な説明】
【００２０】
【図１】本発明の実施の形態１における粒子線治療ネットワークシステムの全体構成図である。
【発明を実施するための形態】
【００２１】
以下、本発明の粒子線治療施設の運用方法および粒子線治療ネットワークシステムの好適な実施の形態につき、図面を用いて説明する。
【００２２】
実施の形態１．
図１は、本発明の実施の形態１における粒子線治療ネットワークシステムの全体構成図である。本実施の形態１における粒子線治療ネットワークシステムは、統括管理センター１０、統括管理ネットワーク２０、およびＮ台（Ｎは、２以上の整数）の粒子線治療施設３０（１）〜３０（Ｎ）を備えて構成されている。
【００２３】
ここで、統括管理センター１０は、統括管理制御部１１、および統括データベース１２を備えて構成されている。そして、統括管理制御部１１は、統括管理に必要なデータの読み出し、書き込みを統括データベース１２に対して行いながら、統括管理ネットワーク２０を介して接続されたＮ台の粒子線治療施設３０（１）〜３０（Ｎ）を統括管理している。
【００２４】
より具体的には、統括管理制御部１１は、Ｎ台の粒子線治療施設３０（１）〜３０（Ｎ）のそれぞれから、各施設の監視、運転業務を遠隔から遂行するために必要な基本データを読み取り、統括データベース１２に記憶させておく。
【００２５】
例えば、統括管理制御部１１は、それぞれの施設ごとに入退室管理を行うために必要な認証データを、それぞれの粒子線治療施設３０（１）〜３０（Ｎ）から吸い上げて、統括データベース１２に施設ごとに分けて、入退室管理用の基本データとして記憶させておく。
【００２６】
この結果、各施設での入退室を行う際の認証処理を、統括管理センター１０で一括管理でき、各施設では、入退室管理に必要な設備や人員を削減することができる。
【００２７】
一方、粒子線治療施設３０（１）〜３０（Ｎ）のそれぞれは、放射線管理部３１、照射系運転部３２、入退室管理部３３、加速器運転部３４、およびその他管理部３５を含んで構成されている。
【００２８】
このような図１の構成を備えた粒子線治療ネットワークシステムにおいて、複数の粒子線治療施設の監視、運転業務を統括管理センター１０によって一元管理することで、保守・運用費用の低減を図る具体的な方策について、以下に説明する。
【００２９】
＜方策１：共通業務の集約化による効率向上＞
（１−１）人員の最適化
上述したように、本実施の形態１における粒子線治療ネットワークシステムは、各施設で個別に行っていた監視・運転業務を、統括管理センター１０による集中管理に集約することで、施設および装置の運用状況を監視する運転監視員を削減することができる。
【００３０】
すなわち、本実施の形態１における粒子線治療ネットワークシステムは、統括管理センター１０内の統括管理制御部１１が管理する基本データ、および各施設から統括管理ネットワーク２０を介して読み取ることができる実データに基づいて、運転監視員が、統括管理センター１０において、国内外の種々の場所に設置された複数の粒子線治療施設３０（１）〜３０（Ｎ）の遠隔監視を実行できる。この結果、複数の粒子線治療施設３０（１）〜３０（Ｎ）のそれぞれに配置される運転監視員の人数を抑制することができ、保守費用の最適化を実現できる。
【００３１】
（１−２）予備品、点検データ等の一括管理
粒子線治療施設で必要となる予備品は、高価なものも多く、部品点数も少なくない。そして、そのような予備品を、それぞれの粒子線治療施設側で個別に保管しておくことは、経費上、管理上の負担となっていた。
【００３２】
これに対して、本実施の形態１における粒子線治療ネットワークシステムは、複数の粒子線治療施設３０（１）〜３０（Ｎ）では、緊急度を要する最低限の予備品だけを保持し、統括管理センター１０側で、各施設で利用可能なその他の予備品を共通して保持する体制を取ることが可能となる。
【００３３】
従って、部品故障の不具合発生時に、統括管理ネットワーク２０を介した施設側からの要求に応じて、統括管理センター１０から、迅速に予備品を現場に供給できる体制を構築しておくことで、予備品にかかる費用を圧縮することが可能となる。
【００３４】
また、本実施の形態１における粒子線治療ネットワークシステムは、定期点検データ、あるいは、トラブルシューティングをした際のデータ等を、統括管理センター１０内の統括データベースで一括管理できる構成となっている。
【００３５】
従って、統括管理センター１０に配置された運転監視員が、全ての粒子線治療施設３０（１）〜３０（Ｎ）のデータを、容易に参照できる。さらに、運転監視員は、ある施設でトラブルが発生した際に、他の施設でトラブルシューティングをした際のデータを参照して、適切な対応を取ることも可能となる。
（１−３）治療プロトコルデータの一括管理
個々の治療計画は、患者に合わせて各粒子線治療施設３０（１）〜３０（Ｎ）側で立案する。しかしながら、例えば、乳がん、肺がんといった特定の病気を対象とすることを考えると、どのような病状に対して、どのような量の放射線をどのような角度からどの程度照射することが適切であるか、といったような治療プロトコルデータが、治療計画の策定に当たっては、参考となる。
【００３６】
そこで、本実施の形態１における粒子線治療ネットワークシステムでは、このような治療プロトコルデータを統括管理センター１０で一元管理し、各粒子線治療施設３０（１）〜３０（Ｎ）からの要求に応じて、適切な治療プロトコルデータを提供するサービスを実現できる。
【００３７】
＜方策２：付加価値向上＞
【００３８】
（２−１）粒子線以外の管理業務の実施
例えば、粒子線治療施設３０が病院に設置される場合を一例にすると、その病院における粒子線治療に関連する管理ばかりでなく、入退室管理など、その他の管理業務も含めたサービスを、統括管理センター１０による集中管理の一貫として提供することができる。
【００３９】
入退室管理によるセキュリティ管理では、例えば、昼間に関しては、粒子線治療施設３０側で個別管理し、夜間、休日に関しては、統括管理センター１０側で遠隔監視する体制を構築することができる。このようにして、２４時間体制のサービスを提供できる。
【００４０】
以上のように、実施の形態１によれば、以下のような構成を備えている。
・国内外の複数の粒子線治療施設が、統括管理ネットワークを介して、統括管理センターに接続されており、それぞれの施設の監視、運転業務を、統括管理センターで一元管理できる構成を備えている。
・定期点検データ、トラブルシューティンデータ、予備品等は、統括管理センター内で一括管理し、必要に応じて、すべての施設で共有化できる構成となっている。
・粒子線治療以外のサービスとして、入退室管理など、その他のサービスも、統括管理センターから、必要に応じて２４時間体制で提供できる構成となっている。
・治療プロトコルデータを統括管理センター内で一括管理し、要求に応じて各施設に適切な治療プロトコルデータを提供できる構成を備えている。
【００４１】
このような構成を備えることで、以下のような効果を得ることができる。
＜サービス提供先である、粒子線治療施設を有するユーザの効果＞
・稼働中の粒子線治療装置の運用状況の監視を、統括管理センターにより遠隔から一括して行うことが可能であり、個々の施設に配置する運転監視員を必要最小限とすることができる。
・高価な予備品等を統括管理センター側で一括管理してもらうことで、予備品に係る費用を圧縮でき、管理上の負担も軽減できる。
・定期点検データや過去のトラブルシューティンデータも、一括管理してもらうことができ、人件費の削減が可能である。また、統括管理センターにいる運転監視員から、一括管理しているすべてのデータに基づいて、適切な対応指示を受けることができる。
・粒子線治療設備の適切な運用を図るためのデータ（トラブルシューティングデータ、治療プロトコルデータ等）の提供を受けることができる。
・入退室管理やエネルギー管理といった、他のサービスも受けることができ、経費削減を実現できる。
【００４２】
＜サービス提供元であるメーカのメリット＞
・セキュリティ管理されたネットワークにより、ユーザごとのセキュリティを確保した上で、適切な人材を１箇所の統括管理センターに配置して、この統括管理センターから、多くのユーザに対して、サービス事業を展開できる。
・定期点検データ、トラブルシューティングデータ、治療プロトコルデータなどの豊富な情報が収集でき、保守点検、治療に関するノウハウの提供を、さらなるサービス事業として展開できる。
・粒子線治療に関するサービス以外にも、入退室管理やエネルギー管理も含めた形での幅広いサービス事業に拡張することもできる。
【００４３】
なお、上述した実施の形態１では、複数の粒子線治療施設３０（１）〜３０（Ｎ）のそれぞれと、統括管理センター１０を、統括管理ネットワーク２０を介して接続する構成例について説明したが、本発明は、このような構成に限定されるものではない。例えば、１つの粒子線治療施設３０（ｎ）の中に統括管理センター１０の機能を設けるか、あるいは、統括管理センター１０の中に１つの粒子線治療施設３０（ｎ）の機能を設け、統括管理センター１０と粒子線治療施設３０（ｎ）とが併合された１つの設備を、その他の粒子線治療施設とともに統括管理ネットワーク２０に接続する構成としても、同様の効果を得ることができる。
【符号の説明】
【００４４】
１０  統括管理センター、１１  統括管理制御部、１２  統括データベース、２０  統括管理ネットワーク、３０  粒子線治療施設、３１  放射線管理部、３２  照射系運転部、３３  入退室管理部、３４  加速器運転部、３５  その他管理部。
【図１】
2016167196.tif 000003
【手続補正書】
【提出日】平成28年4月8日(2016.4.8)
【手続補正１】
【補正対象書類名】明細書
【補正対象項目名】００１７
【補正方法】変更
【補正の内容】
【００１７】
本発明に係る粒子線治療施設の運用方法は、複数の粒子線治療施設と、ネットワークを介して複数の粒子線治療施設のそれぞれと接続された統括管理センターとを備えた粒子線治療ネットワークシステムで実行される粒子線治療施設の運用方法であって、複数の粒子線治療施設のそれぞれは、放射線管理部、照射系運転部、および加速器運転部をサブシステムとして含む構成を有しており、統括管理センターにおいて、複数の粒子線治療施設のそれぞれのサブシステムの監視・運転業務に必要な基本データを統括データベースに記憶させる記憶ステップと、複数の粒子線治療施設からネットワークを介して、各施設のサブシステムの監視・運転業務に関する実データを読み取る読み取りステップと、読み取りステップで読み取られた実データと、統括データベース内に記憶された基本データとに基づいて、複数の粒子線治療施設のそれぞれのサブシステムの監視・運転業務を一括して実行する一元管理ステップとを有し、複数の粒子線治療施設を統括して監視するものである。
【手続補正２】
【補正対象書類名】明細書
【補正対象項目名】００１８
【補正方法】変更
【補正の内容】
【００１８】
また、本発明に係る粒子線治療ネットワークシステムは、複数の粒子線治療施設と、ネットワークを介して複数の粒子線治療施設のそれぞれと接続された統括管理センターとを備えた粒子線治療ネットワークシステムであって、複数の粒子線治療施設のそれぞれは、放射線管理部、照射系運転部、および加速器運転部をサブシステムとして含む構成を有しており、統括管理センターは、複数の粒子線治療施設のそれぞれのサブシステムの監視・運転業務に必要な基本データを記憶する統括データベースと、複数の粒子線治療施設からネットワークを介して、各施設のサブシステムの監視・運転業務に関する実データを読み取り、実データと、統括データベース内に記憶された基本データとに基づいて、複数の粒子線治療施設のそれぞれのサブシステムの監視・運転業務を一括して実行する統括管理制御部とを有し、複数の粒子線治療施設を統括して監視するものである。
【手続補正３】
【補正対象書類名】特許請求の範囲
【補正対象項目名】全文
【補正方法】変更
【補正の内容】
【特許請求の範囲】
【請求項１】
複数の粒子線治療施設と、
ネットワークを介して前記複数の粒子線治療施設のそれぞれと接続された統括管理センターと
を備えた粒子線治療ネットワークシステムで実行される粒子線治療施設の運用方法であって、
前記複数の粒子線治療施設のそれぞれは、放射線管理部、照射系運転部、および加速器運転部をサブシステムとして含む構成を有しており、
前記統括管理センターにおいて、
前記複数の粒子線治療施設のそれぞれの前記サブシステムの監視・運転業務に必要な基本データを統括データベースに記憶させる記憶ステップと、
前記複数の粒子線治療施設から前記ネットワークを介して、各施設の前記サブシステムの監視・運転業務に関する実データを読み取る読み取りステップと、
前記読み取りステップで読み取られた前記実データと、前記統括データベース内に記憶された前記基本データとに基づいて、前記複数の粒子線治療施設のそれぞれの前記サブシステムの監視・運転業務を一括して実行する一元管理ステップと
を有し、前記複数の粒子線治療施設を統括して監視する粒子線治療施設の運用方法。
【請求項２】
前記複数の粒子線治療施設で共用の予備品を前記統括管理センター側で保管しておき、前記複数の粒子線治療施設のいずれかから予備品配送要求を受信することで、前記予備品配送要求に対応した予備品を、前記予備品配送要求の送信元である粒子線治療設備に発送する予備品供給サービスステップ
をさらに有する請求項１に記載の粒子線治療施設の運用方法。
【請求項３】
前記複数の粒子線治療施設のトラブルシューティングデータを前記統括データベースに記憶させて一括管理し、前記複数の粒子線治療施設からの要求に応じて、前記トラブルシューティングデータを提供する不具合対応サービス提供ステップ
をさらに有する請求項１または２に記載の粒子線治療施設の運用方法。
【請求項４】
前記複数の粒子線治療施設のそれぞれに入退室する人員の認証データを前記統括データベースに記憶させて一括管理し、前記複数の粒子線治療施設に入退室を希望する人員からの入退室許可要求に応じて、前記認証データによる照合を行うことで、入退室管理を実行する入退室管理ステップ
をさらに有する請求項１から３のいずれか１項に記載の粒子線治療施設の運用方法。
【請求項５】
前記複数の粒子線治療施設で参照する治療プロトコルデータを前記統括データベースに記憶させて一括管理し、前記複数の粒子線治療施設からの要求に応じて、前記治療プロトコルデータを提供する治療データ提供ステップ
をさらに有する請求項１から４のいずれか１項に記載の粒子線治療施設の運用方法。
【請求項６】
複数の粒子線治療施設と、
ネットワークを介して前記複数の粒子線治療施設のそれぞれと接続された統括管理センターと
を備えた粒子線治療ネットワークシステムであって、
前記複数の粒子線治療施設のそれぞれは、放射線管理部、照射系運転部、および加速器運転部をサブシステムとして含む構成を有しており、
前記統括管理センターは、
前記複数の粒子線治療施設のそれぞれの前記サブシステムの監視・運転業務に必要な基本データを記憶する統括データベースと、
前記複数の粒子線治療施設から前記ネットワークを介して、各施設の前記サブシステムの監視・運転業務に関する実データを読み取り、前記実データと、前記統括データベース内に記憶された前記基本データとに基づいて、前記複数の粒子線治療施設のそれぞれの前記サブシステムの監視・運転業務を一括して実行する統括管理制御部と
を有し、前記複数の粒子線治療施設を統括して監視する粒子線治療ネットワークシステム。